(57)【特許請求の範囲】
【請求項１】
筐体の内空を閉止する位置に開閉部材を係り合わせるためのラッチ装置であって、
前記開閉部材側に係留位置と非係留位置との間で作動可能に設けられる係留爪と、前記筐体の一部に前記係留爪の作動方向に沿って位置変更可能に設けられ一部に前記係留爪を係り合わせる被係留部を有したラッチ受部材とを具備し、
開閉部材側における係留爪の作動方向両側に作動と無関係なガイド部を設け、前記開閉部材の閉止動作に伴い、前記ガイド部を前記ラッチ受部材の一部に設定した被ガイド部に係り合わせてラッチ受部材を係留爪に対する所定の相対位置に導くようにしており、
前記係留爪は前記ラッチ受部材に係り合う係留位置に向かって弾性的に押し付けられていて、ラッチ受部材に進入する際に反力を受けて一時的に係り合い方向と逆方向に作動するものであり、前記ラッチ受部材が筐体上を位置変更するために必要な移動力を、前記反力よりも大きい値に設定したことを特徴とするラッチ装置。
【請求項２】
筐体の内空を閉止する位置に開閉部材を係り合わせるためのラッチ装置であって、
前記開閉部材側に係留位置と非係留位置との間で作動可能に設けられる係留爪と、前記筐体の一部に前記係留爪の作動方向に沿って位置変更可能に設けられ一部に前記係留爪を係り合わせる被係留部を有したラッチ受部材とを具備し、
開閉部材側における係留爪の周囲に枠状の突起部を形成し、係留爪の作動方向両側となる前記枠状の突起部の対向２辺に係留爪の作動と無関係なガイド部を設定し、前記開閉部材の閉止動作に伴い、前記ガイド部を他の対向２辺ともどもラッチ受部材の内側に進入させることで当該ガイド部を前記ラッチ受部材の一部に設定した被ガイド部に係り合わせてラッチ受部材を係留爪に対する所定の相対位置に導くようにするとともに、開閉部材の閉止時に筐体と開閉部材の隙間に位置する係留爪の周囲を前記枠状の突起部で包囲するように構成したことを特徴とするラッチ装置。
【請求項３】
ラッチ受部材が、筐体に設けた開口窓内に挿入される挿入部と、前記開口窓の周囲の前面に重合する枠部とを具備し、前記位置変更方向に沿って前記開口窓にスライド可能に係り合う係り合い部を前記挿入部と前記枠部との間に設けている請求項１又は２記載のラッチ装置。
【請求項４】
請求項１〜３のいずれかに記載のラッチ装置を適用したことを特徴とする収納家具。
【請求項５】
係留爪が把手の操作によって作動するように構成されるとともに、把手を介して係留爪に操作力が入力されることを規制する規制手段を設け、この規制手段が作動している状態で前記係留爪がロック爪の役割を果たすように構成されている請求項４記載の収納家具。
【請求項６】
開閉部材が回転扉であり、この回転扉を筐体に取付けるヒンジ機構に、当該回転扉に対する吊持位置を幅方向に調節する調節部を備えている請求項４又は５記載の収納家具。
【発明の詳細な説明】
【技術分野】
【０００１】
本発明は、係留爪とラッチ受部材との間に適切な相対位置関係を保てるようにしたラッチ装置及び収納家具に関するものである。
【背景技術】
【０００２】
この種のラッチ装置として、特許文献１に示すもの等が知られている。
【０００３】
このものは、筐体の内空を開閉する位置に回転扉を係り合わせるにあたり、前記回転扉の裏面に係留位置と非係留位置の間で作動可能に設けられる係留爪と、前記筐体の一部に固定状態で取り付けられるラッチ受部材とを設け、回転扉の閉止動作に伴い、係留爪をラッチ受部材に進入させ、その際に係留爪が弾性的に作動しながらラッチ受部材の開口縁に係わり合って、回転扉のラッチ状態を実現するように構成されている。
【０００４】
このような係留爪は把手との間を伝達機構によって接続されるが、把手を拘束することで、また、伝達機構の一部を切り離すことで、係留爪がそのまま施錠時のロック爪として機能するように構成されるものも少なくない（特許文献２参照）。
【先行技術文献】
【特許文献】
【０００５】
【特許文献１】特開２００４−９２０２２号公報
【特許文献２】特開２００４−３３２２１８号公報
【発明の概要】
【発明が解決しようとする課題】
【０００６】
ところが、このような係留爪とラッチ受部材との係り合い時の深さ等は、扉の取付状態によって変化する。すなわち、回転扉のサイズによる重量違いや上下のヒンジ機構の吊持位置の違い等によって回転扉に傾きが生じたり、部品の製造精度や組み付け精度に起因して係留爪とラッチ受部材との相対関係にばらつきが生じた場合等には、係留爪とラッチ受部材との間の適切な係り合い状態が損なわれる。そして、このような事態は、回転扉の操作感の不安定化、不完全なラッチ状態、施錠強度の低下等につながることとなる。
【０００７】
本発明は、このような回転扉を始めとする各種開閉部材において、係留爪とラッチ受部材との相対位置を自動的に修正する機能を新たに付与したラッチ装置及びこれを適用した収納家具を提供することを目的としている。
【課題を解決するための手段】
【０００８】
本発明は、かかる目的を達成するために、次のような手段を講じたものである。
【０００９】
すなわち、本願の第１の発明におけるラッチ装置は、筐体の内空を閉止する位置に開閉部材を係り合わせるためのものであって、前記開閉部材側に係留位置と非係留位置との間で作動可能に設けられる係留爪と、前記筐体の一部に前記係留爪の作動方向に沿って位置変更可能に設けられ一部に前記係留爪を係り合わせる被係留部を有したラッチ受部材とを具備し、開閉部材側における係留爪の作動方向両側に作動と無関係なガイド部を設け、前記開閉部材の閉止動作に伴い、前記ガイド部を前記ラッチ受部材の一部に設定した被ガイド部に係り合わせてラッチ受部材を係留爪に対する所定の相対位置に導くようにしており、前記係留爪は前記ラッチ受部材に係り合う係留位置に向かって弾性的に押し付けられていて、ラッチ受部材に進入する際に反力を受けて一時的に係り合い方向と逆方向に作動するものであり、前記ラッチ受部材が筐体上を位置変更するために必要な移動力を、前記反力よりも大きい値に設定したことを特徴とする。
【００１０】
このように構成すると、ラッチ受部材が係留爪に対して位置ずれしていても、閉止動作に伴いラッチ受部材が所定の係り合い関係を保つ方向に移動するので、ラッチ受部材と係留爪との相対位置関係に自動修正機能が働くことになる。
【００１１】
この際、開閉部材側における係留爪の作動方向両側に作動と無関係なガイド部を設け、前記開閉部材の閉止動作に伴い、前記ガイド部を前記ラッチ受部材の一部に設定した被ガイド部に係り合わせてラッチ受部材を係留爪に対する所定の相対位置に導くようにしていることから、ラッチ受部材と係留爪との相対位置を確実に修正することができる。さらには、係留爪はラッチ受部材に係り合う係留位置に向かって弾性的に押し付けられていて、ラッチ受部材に進入する際に反力を受けて一時的に係り合い方向と逆方向に作動するものであり、前記ラッチ受部材が筐体上を位置変更するために必要な移動力を、前記反力よりも大きい値に設定していることから、初期自動修正機能とその後の円滑な使用状態とを両立させることができる。
【００１２】
また、本願の第２の発明におけるラッチ装置は、筐体の内空を閉止する位置に開閉部材を係り合わせるためのものであって、前記開閉部材側に係留位置と非係留位置との間で作動可能に設けられる係留爪と、前記筐体の一部に前記係留爪の作動方向に沿って位置変更可能に設けられ一部に前記係留爪を係り合わせる被係留部を有したラッチ受部材とを具備し、開閉部材側における係留爪の周囲に枠状の突起部を形成し、係留爪の作動方向両側となる前記枠状の突起部の対向２辺に係留爪の作動と無関係なガイド部を設定し、前記開閉部材の閉止動作に伴い、前記ガイド部を他の対向２辺ともどもラッチ受部材の内側に進入させることで当該ガイド部を前記ラッチ受部材の一部に設定した被ガイド部に係り合わせてラッチ受部材を係留爪に対する所定の相対位置に導くようにするとともに、開閉部材の閉止時に筐体と開閉部材の隙間に位置する係留爪の周囲を前記枠状の突起部で包囲するように構成したことを特徴とする。
【００１３】
このように構成すると、ラッチ受部材が係留爪に対して位置ずれしていても、閉止動作に伴いラッチ受部材が所定の係り合い関係を保つ方向に移動するので、ラッチ受部材と係留爪との相対位置関係に自動修正機能が働くことになる。この際、開閉部材側における係留爪の作動方向両側に作動と無関係なガイド部を設け、前記開閉部材の閉止動作に伴い、前記ガイド部を前記ラッチ受部材の一部に設定した被ガイド部に係り合わせてラッチ受部材を係留爪に対する所定の相対位置に導くようにしていることから、ラッチ受部材と係留爪との相対位置を確実に修正することができる。さらには、係留爪の周囲に枠状の突起部を形成し、前記ガイド部をそのうちの対向２辺に設定して、他の対向２辺ともどもラッチ受部材の内側に進入するように構成し、開閉部材の閉止時に筐体と開閉部材の隙間に位置する係留爪の周囲を前記枠状の突起で包囲するようにしていることから、前記ガイド部を利用して係留爪がロック爪等として働く際の機能を有効に高めることが可能となる。
【００１４】
ラッチ受部材の筐体への取り付けの便を確保するためには、当該ラッチ受部材が、筐体に設けた開口窓内に挿入される挿入部と、前記開口窓の周囲の前面に重合する枠部とを具備し、前記位置変更方向に沿って前記開口窓にスライド可能に係り合う係り合い部を前記挿入部と前記枠部との間に設けていることが望ましい。
【００１５】
そして、このようなラッチ装置を収納家具に適用すれば、サイズ違いや加工組付誤差が存在しても、開閉部材を適切にラッチする機能を良好な操作性の下に有効に実現することが可能となる。
【００１６】
この場合、収納家具の係留爪が把手の操作によって作動するように構成されるとともに、把手を介して係留爪に操作力が入力されることを規制する規制手段を設け、この規制手段が作動している状態で前記係留爪がロック爪の役割を果たすように構成されている場合には、ラッチ状態の適正化が同時にロック時の強度向上にもつながることになる。
【００１７】
また、開閉部材が回転扉であり、この回転扉を筐体に取付けるヒンジ機構に、当該回転扉に対する吊持位置を幅方向に調節する調節部を備えている場合には、吊持位置の調節によってラッチ状態に影響が及ぶことを有効に回避することが可能となる。
【発明の効果】
【００１８】
本発明は、以上説明したように、係留爪とラッチ受部材との相対位置にばらつきが存する場合にも、開閉部材を閉止する動作に伴ってその相対関係が自動的に修正され、係留爪の掛かり量を適切に保つことができるので、開閉部材の操作感の安定化を図り、適切なラッチ状態やロック状態を有効に実現することが可能となる。
【図面の簡単な説明】
【００１９】
【図１】本発明の一実施形態に係るラッチ装置を、これを収納家具に適用した状態で示す示す斜視図。
【図２】同ラッチ装置を扉の背面側から示す斜視図。
【図３】同ラッチ装置を構成するラッチ受部材の取付前の状態を示す斜視図。
【図４】同ラッチ受部材の取付状態を示す要部断面図。
【図５】同ラッチ装置の作動説明図。
【図６】同ラッチ装置の自動修正機能を説明するための図。
【図７】図６に対応した拡大図。
【発明を実施するための形態】
【００２０】
以下、本発明の一実施形態を、図面を参照して説明する。
【００２１】
この実施形態のヒンジ装置が適用される図１の収納家具は、筐体１の内空を閉止する位置に開閉部材たる左右一対の回転扉２、３を配置した観音式のもので、筐体１、回転扉２，３ともにスチールにより構成され、これらの回転扉２，３の吊元側の縁部近傍における上下端付近がヒンジ機構４を介して筐体１の側板１１に回転可能に取り付けられている。このヒンジ機構４は、いわゆる持ち出し蝶番と称されるもので、例えば回転扉２について説明すると、閉止位置から扉２を開くに従って吊元側の縁部２ａが前方に持ち出され、その後、９０度を超えて１８０度近くにまで回転扉２を開成させることができるものである。閉止位置における左右の回転扉２，３の間には図６に示すような目地Ｓが形成されるが、この目地Ｓが上から下まで一定の目地幅になるとは限らないため、図１に示すヒンジ機構４にはネジ４１ａを含み回転扉２の吊り位置を幅方向に変更するための調節部４１が備わっている。この種の調節部４１は例えば特開２００９−１１４７１１号公報等に示されるように既知であるため、詳細は省略する。
【００２２】
そして、回転扉２の反吊元側の縁部２ｂ近傍に、ラッチ装置Ａを構成する係留爪５を把手２１と関連づけて組み込み、筐体１側にラッチ受部材６を組み込んでいる。
【００２３】
係留爪５は、図２に示すように、回転扉２の上端部及び図示しない下端部から背面側に突出して設けられた樹脂製のもので、首部５１の先端に鉤状の爪部５２を有し、この爪部５２が図５（ａ）等に示すようにラッチ受部材６の裏面に回り込む方向に作動した位置を係留位置とするものである。図１に示す把手２１は回転扉２の上下方向中央部に設けられて、伝達軸２２を介して係留爪５に接続されており、把手２１に操作力を加えないときに係留爪５が上記係留位置に向かって図示しない弾性体により弾性的に押し付けられている。そして、把手２１に手前に引かれる等の操作が加えられると、その操作力が伝達軸２２を介して係留爪５に伝えられ、係留爪５が弾性力に抗して図２に矢印で示す非係留位置に向かって作動するように構成されている。
【００２４】
なお、把手２１の近傍には、係留爪５に操作力が入力されることを規制する規制手段２３が設けてある。この規制手段２３は、施錠部２３ａに錠を差し込んで操作することにより、把手２１の回転と伝達軸２２の回転とを選択的に切り離し、操作力を係留爪５に伝えないようにするものである。この規制手段２３が働いているとき、係留爪５がそのまま施錠時のロック爪として機能する（前出の特許文献２参照）。
【００２５】
一方、筐体１を構成する頂板１２の前向面１２ａには、図３に示すように概略矩形状の開口窓１３が設けられて、ラッチ受部材６が装着される。このラッチ受部材６も、樹脂製のもので、図２及び３等に示すように、前記開口窓１３の内側に挿入される挿入部６１と、前記開口窓１３の周囲の前面に重合する枠部６２とを備えている。挿入部６１は開口窓１３の上下の内縁１３ａ、１３ｂに比較的緊密に挿入される上壁６１ａ及び底壁６１ｂと、開口窓１３の幅方向の内縁１３ｃ、１３ｄに対し遊びをもって挿入される一対の側壁６１ｃ、６１ｄとを備える。挿入部６１の上壁６１ａおよび底壁６１ｂには外側に開く弾性片６１ｅが設けてあり、この弾性片６１ｅと前記枠部６２の裏面６２ａとの間に、当該ラッチ受部材６を前記開口窓１３に幅方向に沿ってスライド可能に係り合う係り合い部６ｘ（図２参照）が構成される。また、前記一方の側壁６１ｃの裏面側には、図３及び図４等に示すように、枠部６２との間に溝を形成する突片６１ｆが設けてあり、開口窓１３の幅方向の一方に位置する開口縁１３ｃをかかる溝に差し込んで、ここにおいてもラッチ受部材６を前記開口窓１３に幅方向に沿ってスライド可能に係り合う係り合い部６ｙが構成される。すなわち、ラッチ受部材６は上辺、下辺および右辺の３カ所で開口窓１３にスライド可能に係わって、図４（ａ）〜（ｃ）に示すように幅方向に位置変更可能な状態で取り付けられる。図中符号δは、ラッチ受部材６が開口窓１３の中心にあるとき（同図（ｂ）参照）から左右に移動可能な距離を示している。
【００２６】
ラッチ受部材６は、図２及び図３に示すように、中央に被係留部である矩形状の爪挿入孔６３を備えている。この爪挿入孔６３のラッチ作動方向の内縁には、図４に示すように、開口端から内奥にいくに従って開口幅が徐々に小さくなるアール形状を含む被ガイド部６３ａ、６３ｂが形成してある。
【００２７】
これに対して、前述した回転扉２側における係留爪５の周囲には、図２及び図５等に示すように、係留爪５を包囲する枠状の突起部７が設けてある。この突起部７は、係留爪５の作動とは切り離した状態で回転扉２に固定状態で取り付けられているもので、係留爪５の幅方向両側に位置する対向２辺の外面に先端にいくに従って突出幅を小さくするアール形状を含むガイド部７１ａ、７１ｂを設けて、他の対向２辺７１ｃ、７１ｄ（図２参照）ともどもラッチ受部材６の爪挿入孔６３の内側に進入する寸法関係に設定している。特に、ガイド部７１ａ、７１ｂの外面は、図５（ｃ）→（ｂ）→（ａ）に示すように爪挿入孔６３に進入するにつれて被ガイド部６３ａ、６３ｂ間に緊密に差し込まれる関係に設定されている。
【００２８】
すなわち、回転扉２を開成位置から収納位置に向かって図５（ｄ）→（ｃ）→（ｂ）→（ａ）に示すように押し込むと、係留爪５はラッチ受部材６の爪挿入孔６３に進入する際に開口縁である被ガイド部６３ａから反力を受けて一時的に係り合い方向と逆方向に作動し、ラッチ受部材６を通過した位置で蓄積した弾性力により被ガイド部６３ａの裏面に係り合う係留位置に復元する。その際、ラッチ受部材６が係留爪５によって押し付けられるが、開口窓１３に対するラッチ受部材６のすべり抵抗を調節して、当該ラッチ受部材６が筐体１上を位置変更するために必要な移動力を、前記反力よりも大きい値に設定してあり、係留爪５の係り合いによってラッチ受部材６の位置が変わらないようにしている。
【００２９】
一方、例えば図６（ａ）に示すように、回転扉２が隣接する回転扉３ともども適正な目地幅Ｓ０を形成する正常な吊り位置にあり、ラッチ受部材６が図７（ｂ）に示すように開口窓１３に対する移動範囲の中央に位置している場合には、ガイド部７１ａ、７１ｂの位置と被ガイド部６３ａ、６３ｂの位置とは対応しているため、係留爪５の係り合い動作に伴って係留爪５の周囲に設けた突起部７が前記ラッチ受部材６の内側に進入する際、ラッチ受部材６が移動することはない。
【００３０】
他方、ラッチ受部材６が開口窓１３に対する移動範囲の中央に位置している場合において、回転扉２が正常な吊り位置から図６（ａ）に示すように隣接する回転扉３との間の目地幅Ｓが拡大（Ｓ１）する吊元側に変位していたり、図６（ｃ）に示すように隣接する扉３との間の目地幅Ｓが縮小（Ｓ２）する反吊元側に変位していたりすると、前者の場合には吊元側に近いガイド部７１ａが対応する被ガイド部６３ａに干渉して図７（ａ）に矢印で示す方向にラッチ受部材６を押し付け、後者の場合には吊元側から遠いガイド部７１ｂが対応する被ガイド部６３ｂに干渉して図７（ｃ）に矢印で示す方向にラッチ受部材６を押し付けて、何れの場合にも被ガイド部６３ａ、６３ｂがガイド部７１ａ、７１ｂに適切に係り合う位置にラッチ受部材６を誘導する。この結果、被ガイド部６３ａ、６３ｂを設けたラッチ受部材６が、前者では図６（ａ）に示すように開口窓１３に対して回転扉２の偏り方向である反吊元側に移動し、後者では図６（ｃ）に示すように開口窓１３に対して回転扉２の偏り方向である反吊元側に位置変更を引き起こし、係留爪５との適切な位置関係を保つこととなる。
【００３１】
勿論、ラッチ受部材６が初期状態で開口窓１３に対する移動範囲の中央に位置していない場合にも、ガイド部７１ａ、７１ｂと被ガイド部６３ａ、６３ｂとの相互作用の結果、導かれる先の状態は同じとなる。
【００３２】
なお、回転扉２の閉止時には、筐体１と回転扉２との隙間に位置する係留爪５の首部５１の周囲が図２等に示す枠状の突起部７で包囲されるため、当該隙間に係留爪５が表れることがなくなり、工具等による不正なアクセスが防止されることとる。
【００３３】
以上のように、本実施形態のラッチ装置Ａは、筐体１の内空を閉止する位置に開閉部材たる回転扉２を係り合わせるにあたり、回転扉２側に係留位置と非係留位置との間で作動可能に設けられる係留爪５と、筐体１の一部に係留爪５の作動方向に沿って位置変更可能に設けられ一部に係留爪５を係り合わせる被係留部たる爪挿入孔６３を有したラッチ受部材６とを具備し、回転扉２の閉止動作に伴いラッチ受部材６が係留爪５若しくはその周辺部位に係わって当該係留爪５に対する相対位置を変更するように構成したことを特徴とする。
【００３４】
このように構成すると、ラッチ受部材６が係留爪５に対して位置ずれしていても、閉止動作に伴いラッチ受部材６が所定の係り合い関係を保つ方向に移動するので、ラッチ受部材６と係留爪５との相対位置関係に自動修正機能が働くことになる。
【００３５】
具体的には、回転扉２側における係留爪５の作動方向両側に作動と無関係なガイド部７１ａ、７１ｂを設け、回転扉２の閉止動作に伴い、ガイド部７１ａ、７１ｂをラッチ受部材６の一部に設定した被ガイド部６３ａ、６３ｂに係り合わせてラッチ受部材６を係留爪５に対する所定の相対位置に呼び込むようにしており、係留爪５の途中の作動とは無関係に回転扉２上のガイド部７１ａ、７１ｂの位置を基準に筐体１上のラッチ受部材６の相対位置が決まるので、ラッチ受部材６と係留爪５との相対位置を確実に修正することができる。
【００３６】
その際、係留爪５はラッチ受部材６に係り合う係留位置に向かって弾性的に押し付けられていて、ラッチ受部材６に進入する際に反力を受けて一時的に係り合い方向と逆方向に作動するものであるが、ラッチ受部材６が筐体１上を位置変更するために必要な移動力を、前記反力よりも大きい値に設定しており、最初に回転扉２を閉止する際にガイド部７１ａ、７１ｂと被ガイド部６３ａ、６３ｂとの係り合いによってラッチ受部材６の相対位置に導かれた後、次からは係留爪５がラッチ受部材６から反力を受けてもラッチ受部材６は動かないので、回転扉２を閉止するたびにラッチ受部材６が移動することを解消して、円滑な使用状態を実現することができる。
【００３７】
さらに、本実施形態では、係留爪５の周囲に枠状の突起部７を形成し、ガイド部７１ａ、７１ｂをそのうちの対向２辺に設定して、他の対向２辺ともどもラッチ受部材６の内側に進入するように構成し、回転扉２の閉止時に筐体１と回転扉２の隙間に位置する係留爪５の周囲を枠状の突起部７で包囲するようにしているので、ガイド部７１ａ、７１ｂがラッチ受部材６を呼び込む役割を果たすと同時に、枠状の突起部７全体が周囲からのピッキングを防止する防盗の役割を果たすことになる。
【００３８】
ラッチ受部材６の取り付けに関しては、筐体１に設けた開口窓１３内に挿入される挿入部６１と、開口窓１３の周囲の前面に重合する枠部６２とを具備し、位置変更方向に沿って開口窓１３にスライド可能に係り合う係り合い部６ｘ、６ｙを挿入部６１と枠部６２との間に設けているので、ラッチ受部材６を筐体１に簡単、適切に可動状態で取付けることができる。
【００３９】
そして、このようなラッチ装置Ａを収納家具に適用すれば、サイズ違いや加工組付誤差が存在しても、回転扉２を適切にラッチする機能を良好な操作性の下に有効に実現することが可能となる。
【００４０】
特に、この収納家具は、係留爪５が把手２１の操作によって作動するように構成されるとともに、把手２１を介して係留爪５に操作力が入力されることを規制する規制手段２３を有し、この規制手段２３が作動している状態で係留爪５がロック爪の役割を果たすように構成されているので、ラッチ状態の適正化が同時にロック時の強度向上にもつながることになる。
【００４１】
さらに、この収納家具は、開閉部材が回転扉２であり、この回転扉２を筐体１に取付けるヒンジ機構４に、当該回転扉２に対する吊持位置を幅方向に調節する調節部４１を備えたものであるが、上記の構成を通じて、吊持位置を調節してもラッチ状態に悪影響が及ぶことを有効に回避することができるようになる。
【００４２】
なお、各部の具体的な構成は、上述した実施形態のみに限定されるものではない。
【００４３】
例えば、ガイド部や被ガイド部は、少なくとも何れか一方がアール形状を有していればガイド作用が働くため、双方にアール形状を付しておくことを要するものではない。勿論、アール形状に代えてテーパ形状をした場合にも同様の作用効果が奏される。
【００４４】
また、規制手段は、把手の動きを拘束するタイプのもの等であっても、係留爪がロック爪として働くことに変わりはないため、本発明を適用することによってロック時の強度向上に同様に資することになる。
【００４５】
その他の構成も、本発明の趣旨を逸脱しない範囲で種々変形が可能である。
【符号の説明】
【００４６】
１…筐体
２…開閉部材（回転扉）
４…ヒンジ機構
５…係留爪
６…ラッチ受部材
７…突起部
１３…開口窓
２１…把手
２３…規制手段
４１…調節部
６１…挿入部
６２…枠部
６３ａ、６３ｂ…被ガイド部
７１ａ、７１ｂ…ガイド部
Ａ…ラッチ装置
【図１】
0005413832.tif 000002
【図２】
0005413832.tif 000003
【図３】
0005413832.tif 000004
【図４】
0005413832.tif 000005
【図５】
0005413832.tif 000006
【図６】
0005413832.tif 000007
【図７】
0005413832.tif 000008